(57)【要約】【課題】ガスタービンの燃焼器尾筒とタービン静翼の間の隙間をシールしつつ効果的に冷却する。【解決手段】燃焼器尾筒１６とタービン初段の静翼エンドウォール１７との間の隙間がシール部材６でシールされたガスタービンにおいて、燃焼器尾筒１６がタービン径方向に延びるフランジ部１９を備え、静翼エンドウォール１７が燃焼器尾筒１６との対向面にタービン軸方向に延びるシール溝２１を備え、シール部材６がフランジ部１９にタービン径方向に摺動するフック部７、及びシール溝２１に挿入されたシールプレート部８を備えており、シール溝２１及びシールプレート部８が、シール溝２１の高温側内壁面２１ａとシールプレート部８との面接触領域３１、面接触領域３１よりも燃焼器尾筒１６側に位置する非接触領域３２、及び非接触領域３２の間隙を介して高温側内壁面２１ａに対向するようにシールプレート部８に設けた貫通孔２３を有するように構成されている。【選択図】  図３
2018031320.tif 000002
【特許請求の範囲】
【請求項１】
空気を圧縮する圧縮機と、
前記圧縮機で圧縮した圧縮空気を燃料と共に燃焼して燃焼ガスを発生させる燃焼器と、
前記燃焼器で発生した燃焼ガスで駆動されるタービンとを備え、
前記燃焼器が、前記燃焼ガスを前記タービンに供給する燃焼器尾筒を備え、
前記タービンが、タービン軸方向に上流側から順に並ぶ静翼翼列及び動翼翼列を一列ずつ含むタービン段落を少なくとも１段備え、
タービン初段の静翼翼列の環状の燃焼ガス流路の内外周を確定する静翼エンドウォールの前縁と前記燃焼器尾筒の後縁が前記タービン軸方向に対向していて、
前記燃焼器尾筒の後縁と前記静翼エンドウォールの前縁との間の隙間がシール部材でシールされたガスタービンにおいて、
前記燃焼器尾筒が、燃焼ガス出口部の内周壁及び外周壁における燃焼ガス流路と反対側の面にタービン径方向に延びるフランジ部を備え、
前記静翼エンドウォールが、前記燃焼器尾筒との対向面に前記タービン軸方向に延びるシール溝を備え、
前記シール部材が、前記燃焼器尾筒のフランジ部に対してタービン径方向に摺動するように前記フランジ部を抱え込んだフック部、及び前記静翼エンドウォールのシール溝に挿入されたシールプレート部を備えており、
前記シール溝及び前記シールプレート部が、前記シール溝の前記燃焼ガス流路に近い側の高温側内壁面と前記シールプレート部とが面接触する面接触領域、前記面接触領域よりも前記燃焼器尾筒側に位置し前記高温側内壁面と前記シールプレート部との間に間隙が介在する非接触領域、及び前記非接触領域の間隙を介して前記シール溝の高温側内壁面に対向するように前記シールプレート部に設けた貫通孔を有するように構成されていることを特徴とするガスタービン。
【請求項２】
請求項１のガスタービンにおいて、前記シール溝の前記非接触領域の高温側内壁面は、前記面接触領域の高温側内壁面よりも前記燃焼ガス流路に近いことを特徴とするガスタービン。
【請求項３】
請求項１のガスタービンにおいて、前記シールプレート部は、前記面接触領域を構成する部分に対して前記非接触領域を構成する部分が前記燃焼ガス流路から遠ざかるように折れ曲がっていることを特徴とするガスタービン。
【請求項４】
請求項１のガスタービンにおいて、前記非接触領域に乱流促進部材が設けてあることを特徴とするガスタービン。
【請求項５】
請求項４のガスタービンにおいて、前記乱流促進部材は、前記タービン軸方向に延びるリブであることを特徴とするガスタービン。
【請求項６】
請求項４のガスタービンにおいて、前記乱流促進部材は、タービン回転方向に延びるリブであることを特徴とするガスタービン。
【請求項７】
請求項１のガスタービンにおいて、前記非接触領域における前記シール溝の高温側内壁面と前記シールプレート部との距離にタービン径方向の寸法を合わせた突起が、前記非接触領域に備わっていることを特徴とするガスタービン。
【請求項８】
請求項７のガスタービンにおいて、前記突起の先端部は、前記非接触領域における前記シール溝の高温側内壁面又は前記シールプレート部に対して点接触していることを特徴とするガスタービン。
【請求項９】
請求項７のガスタービンにおいて、前記突起の先端部は、前記非接触領域における前記シール溝の高温側内壁面又は前記シールプレート部に対して面接触していることを特徴とするガスタービン。
【請求項１０】
請求項７のガスタービンにおいて、前記突起と前記貫通孔のタービン回転方向の位置が対応していることを特徴とするガスタービン。
【請求項１１】
請求項１のガスタービンにおいて、
前記非接触領域における前記シール溝の高温側内壁面と前記シールプレート部との距離が、貫通孔の直径の０．５倍から５倍であることを特徴とするガスタービン。
【発明の詳細な説明】
【技術分野】
【０００１】
本発明はガスタービンに関する。
【背景技術】
【０００２】
ガスタービンは、圧縮機で圧縮した圧縮空気を燃焼器で燃料と共に燃焼させて高温の作動流体である燃焼ガスを発生させ、燃焼ガスでタービンを駆動するように構成されている。そのため、タービンの高温の燃焼ガスに晒される部品は、酸化又は熱応力による亀裂や溶損が発生しないように、燃焼ガスよりも温度が低い低温流体を冷却空気として適宜冷却する必要がある。また、タービン等の部品には、熱変形による応力集中を緩和する他、保守点検や交換を容易にする目的で、分割構造が採用されることが多い。そのため、燃焼ガス流路から部品間の隙間に燃焼ガスが流入しないように、燃焼ガス流路の外側から高圧で低温流体をシール空気として部品間の隙間に供給してやる必要がある。冷却空気やシール空気としてタービンに供給する低温流体は一般に圧縮機から抽気されるので、過剰に抽気量を増やすとタービンを駆動する燃焼ガスの流量が減少しガスタービン全体の効率低下につながる。従って、タービンの部品間の隙間にはシールプレートが架け渡されている（特許文献１等参照）。
【先行技術文献】
【特許文献】
【０００３】
【特許文献１】特開２０１４−０７４４０６号公報
【発明の概要】
【発明が解決しようとする課題】
【０００４】
シールプレートはタービンの部品間の隙間を完全に密閉する訳ではなく、タービン部品との間に微小な低温流体のリークを発生させ、このリーク空気によってシールプレートやタービン部品を冷却する。しかし、コンバインドサイクルの性能向上に大きな期待が寄せられる発電用ガスタービンには燃焼ガスの更なる高温化のニーズがあり、タービンの部品間の隙間のシール性能と冷却性能の向上が急務である。特に燃焼器尾筒との間に隙間が介在するタービン初段静翼のエンドウォールの前縁部は、燃焼器に近く燃焼ガスの温度が高いため冷却する必要があるにも関わらず、薄肉であるためシール構造に加えて冷却構造を適用することが困難である。構成要素のコンパクト化が求められる小型・中型のガスタービンでは特にこの問題が顕著である。
【０００５】
本発明の目的は、燃焼器尾筒とタービン静翼の間の隙間をシールしつつ効果的に冷却することができるガスタービンを提供することを目的とする。
【課題を解決するための手段】
【０００６】
上記目的を達成するために、本発明は、空気を圧縮する圧縮機と、前記圧縮機で圧縮した圧縮空気を燃料と共に燃焼して燃焼ガスを発生させる燃焼器と、前記燃焼器で発生した燃焼ガスで駆動されるタービンとを備え、前記燃焼器が、前記燃焼ガスを前記タービンに供給する燃焼器尾筒を備え、前記タービンが、タービン軸方向に上流側から順に並ぶ静翼翼列及び動翼翼列を一列ずつ含むタービン段落を少なくとも１段備え、タービン初段の静翼翼列の環状の燃焼ガス流路の内外周を確定する静翼エンドウォールの前縁と前記燃焼器尾筒の後縁が前記タービン軸方向に対向していて、前記燃焼器尾筒の後縁と前記静翼エンドウォールの前縁との間の隙間がシール部材でシールされたガスタービンにおいて、前記燃焼器尾筒が、燃焼ガス出口部の内周壁及び外周壁における燃焼ガス流路と反対側の面にタービン径方向に延びるフランジ部を備え、前記静翼エンドウォールが、前記燃焼器尾筒との対向面に前記タービン軸方向に延びるシール溝を備え、前記シール部材が、前記燃焼器尾筒のフランジ部に対してタービン径方向に摺動するように前記フランジ部を抱え込んだフック部、及び前記静翼エンドウォールのシール溝に挿入されたシールプレート部を備えており、前記シール溝及び前記シールプレート部が、前記シール溝の前記燃焼ガス流路に近い側の高温側内壁面と前記シールプレート部とが面接触する面接触領域、前記面接触領域よりも前記燃焼器尾筒側に位置し前記高温側内壁面と前記シールプレート部との間に間隙が介在する非接触領域、及び前記非接触領域の間隙を介して前記シール溝の高温側内壁面に対向するように前記シールプレート部に設けた貫通孔を有するように構成されていることを特徴とする。
【発明の効果】
【０００７】
本発明によれば、燃焼器尾筒とタービン静翼の間の隙間をシールしつつ効果的に冷却することができる。
【図面の簡単な説明】
【０００８】
【図１】ガスタービンの模式図である。
【図２】本発明の第１実施形態における燃焼器とタービンの接続部の部分断面概略図である。
【図３】図２中の破線で囲ったＸ部の拡大図である。
【図４】図３中のＹ−Ｙ線による矢視断面図である。
【図５】本発明の第１実施形態の他の構成例に係るガスタービンのシール構造を表す図であって図３に相当する図である。
【図６】本発明の第２実施形態に係るガスタービンのシール構造を表す図であって図３に相当する図である。
【図７】本発明の第３実施形態に係るガスタービンのシール構造を表す図であって図３に相当する図である。
【図８】本発明の第３実施形態の他の構成例に係るガスタービンのシール構造を表す図であって図３に相当する図である。
【図９】本発明の第４実施形態に係るガスタービンのシール構造を表す図であって図３に相当する図である。
【図１０】本発明の第４実施形態の他の構成例に係るガスタービンのシール構造を表す図であって図３に相当する図である。
【発明を実施するための形態】
【０００９】
以下に図面を用いて本発明の実施の形態を説明する。
【００１０】
（第１実施形態）
１．ガスタービン
図１はガスタービンの模式図である。図１に示したガスタービン１００は、比較的大型のものであっても良いが、ここでは中型以下の比較的小型のものを想定している。このガスタービン１００は、圧縮機５１、燃焼器５２及びタービン５３を備えている。圧縮機５１は、吸気部を介して吸い込んだ空気Ａを圧縮し、高圧の圧縮空気Ｃを生成して燃焼器５２に供給する。燃焼器５２は、圧縮機５１で圧縮した圧縮空気Ｃを燃料と共に燃焼し、高温の燃焼ガスＨを発生させてタービン５３に供給する。タービン５３は、燃焼器５２で発生した燃焼ガスＨで駆動される。圧縮機５１及びタービン５３は同軸に連結され、また圧縮機５１又はタービン５３には負荷機器（本実施形態では発電機５４）が連結される。タービン５３で得られる回転動力は、一部が圧縮機５１の動力として使用され、一部が発電機５４の動力として使用される。タービン５３を駆動した燃焼ガスＨは、排気ガスＥとしてタービン５３から排出される。
【００１１】
図２は燃焼器とタービンの接続部の部分断面概略図である。図２に示したように、燃焼器５２は、燃焼ガスＨをタービン５３に供給する燃焼器尾筒１６を備えている。タービン５３は、タービン軸方向に上流側から順に並ぶ静翼翼列５５及び動翼翼列５６を一列ずつ含むタービン段落５７を少なくとも１段備えている。本実施形態においては複数のタービン段落５７を備える場合を図示しており、初段の（第１の）タービン段落５７の静翼翼列５５と動翼翼列５６に符号を付して説明するが、第２段落以降の静翼翼列及び動翼翼列も同様の構成である。
【００１２】
静翼翼列５５はタービン回転方向に並ぶ複数の静翼を含んでおり、タービン回転方向に複数のセグメントに分割されている。同様に、動翼翼列５６はタービン回転方向に並ぶ複数の動翼を含んでおり、タービン回転方向に複数のセグメントに分割されている。静翼翼列５５の１つのセグメントは、２枚の静翼エンドウォール１７及び少なくとも１つの翼部１８を有している。静翼エンドウォール１７は、当該翼列における燃焼ガス流路（燃焼ガスＨが流通する環状の流路）の内外周を確定する薄板状の部材である。翼部１８は、燃焼ガスＨを整流する役割を果たすものであって、タービン径方向に延びて内外周の静翼エンドウォール１７を連結している。外周側の静翼エンドウォール１７をタービンケーシング１５に係合させることで、静翼翼列５５はタービンケーシング１５に対して固定されている。動翼翼列５６は、ディスク１３の外周部に複数の動翼１２を取付けて構成されている。動翼翼列５６における環状の燃焼ガス流路は、外周側がシュラウド１４により、内周側がディスク１３の外周面で画定されている。シュラウド１４は、タービン回転方向に複数のセグメントに分割されており、各セグメントがタービンケーシング１５に対して固定されている。図２に示したように、タービン初段の静翼翼列５５の内外周の静翼エンドウォール１７の前縁と燃焼器尾筒１６の後縁は、隙間を介してタービン軸方向に対向している。燃焼器尾筒１６の後縁と静翼エンドウォール１７の前縁との間の隙間は、シール部材６でシールしてある。
【００１３】
２．シール構造
燃焼器尾筒１６には、燃焼ガス出口部（静翼エンドウォール１７との対向部）の内周壁及び外周壁における燃焼ガス流路と反対側の面にタービン径方向に延びるフランジ部１９を備えている。燃焼器尾筒１６の外周壁（タービン径方向外周側の壁面）のフランジ部１９は、外周壁からタービン径方向外側に突出している。燃焼器尾筒１６の内周壁（タービン径方向内周側の壁面）のフランジ部１９は、内周壁からタービン径方向内側に突出している。フランジ部１９のタービン軸方向の一方側を向いた面（図２中の左側の面）は、タービン軸方向の他方側を向いた面（図２中の右側の面）と平行である。
【００１４】
図３は図２中の破線で囲ったＸ部の拡大図、図４は図３中のＹ−Ｙ線による矢視断面図である。図３及び図４は燃焼ガス流路の内周側の燃焼器尾筒１６の後縁と静翼エンドウォール１７の前縁との対向部を表しているが、燃焼器尾筒１６と静翼エンドウォール１７との対向部の構成は、燃料ガス流路の外周側においても同様である。
【００１５】
図３及び図４において、前述したように、静翼エンドウォール１７は燃焼ガス流路の内外周を確定しており、高温の燃焼ガスＨが流れる燃焼ガス流路を、低温流体Ｌが供給される燃焼ガス流路の外側の領域から遮るように配置されている。これら静翼エンドウォール１７は、燃焼器尾筒１６との対向面にシール溝２１を有している。シール溝２１は、タービン軸方向に延在しており、タービン軸方向から見ると静翼エンドウォール１７と同心の環状に形成されている。
【００１６】
前述したシール部材６は、例えば板材を曲げ加工して形成した部材であり、フック部７とシールプレート部８とを備えている。フック部７は、Ｕ字状に曲成されて燃焼器尾筒１６のフランジ部１９に対して燃焼ガス流路に向かう方向に被せられた部分であり、燃焼器尾筒１６のフランジ部１９に対して摺動するようにフランジ部１９を抱え込んでいる。タービン軸方向を向いたフランジ部１９の両面にそれぞれ対向するフック部７の内壁面は、それぞれ対向するフランジ部１９の両面に接触又は僅かな間隙を介在させている。シールプレート部８は、フック部７の後縁から静翼エンドウォール１７に向かってタービン軸方向に延在する部分であり、静翼エンドウォール１７のシール溝２１に挿入され、燃焼器尾筒１６と静翼エンドウォール１７との間の隙間に渡されている。これにより、シール部材６のフック部７で燃焼器尾筒１６のフランジ部１９周りがシールされ、シールプレート部８で燃焼器尾筒１６と静翼エンドウォール１７との間の隙間がシールされている。
【００１７】
本実施形態においては、シール溝２１及びシールプレート部８は、面接触領域３１と非接触領域３２とを含むように構成されている。面接触領域３１は、シール溝２１の燃焼ガス流路に近い側（図３では上側）の内壁面である高温側内壁面２１ａとシールプレート部８とが面接触する領域である。非接触領域３２は、面接触領域３１よりも燃焼器尾筒１６側（図３中の左側）に位置し高温側内壁面２１ａとシールプレート部８の対向面との間に間隙が介在する領域である。本実施形態では、シール溝２１の高温側内壁面２１ａは段差を有している。図３のようにタービン径方向に延びる断面で見ると、非接触領域３２の高温側内壁面（冷却面）２１ａ−２が、面接触領域３１の高温側内壁面（タッチ面）２１ａ−１よりも燃焼ガス流路に近くなっている。それに対してシールプレート部８は、同断面で見ると燃焼器尾筒１６と静翼エンドウォール１７との間の隙間を跨いでタービン軸方向に面接触領域３１まで直線状に延在している。これにより、シール部材６は、低圧流体Ｌによる圧力を燃焼ガス流路から遠い面（図３では下側の面）に受けて燃焼ガス流路に向かって付勢される。面接触領域３１においてシールプレート部８が高温側内壁面２１ａ−１に面接触した状態でも、非接触領域３２ではシールプレート部８と高温側内壁面２１ａ−２との間に隙間が確保される。この非接触領域３２におけるシール溝２１の高温側内壁面２１ａ−２とシールプレート部８との距離（換言すれば高温側内壁面２１ａ−１，２１ａ−２の段差寸法）は、例えば貫通孔２３の直径の０．５倍から５倍である。
【００１８】
シールプレート部８には、この非接触領域３２の間隙を介してシール溝２１の高温側内壁面２１ａ−２に対向するように貫通孔２３が設けられている。貫通孔２３は静翼エンドウォール１７の１セグメントに少なくとも１つ設けられている。非接触領域３２の間隙はタービン軸方向から見ると静翼エンドウォール１７と同心の環状に形成されるので、貫通孔２３がタービン回転方向に複数設けられることとなる。
【００１９】
また、本実施形態においては、非接触領域３２に乱流促進部材２４が設けてある。この乱流促進部材２４は、タービン軸方向に延びるリブであり、本実施形態では図４に示すようにタービン回転方向に貫通孔２３と交互に位置するように配置されている。また、本実施形態では、乱流促進部材２４はシール溝２１の非接触領域３２における高温側内壁面２１ａ−２に突出して設けられている。この乱流促進部材２４のタービン径方向の寸法は、シールプレート部８が面接触領域３１の高温側内壁面２１ａ−１に接触した状態でも、シールプレート部８と乱流促進部材２４との間に隙間が確保されるように設定されている。また、乱流促進部材２４のタービン軸方向の寸法が限定されないが、本実施形態では非接触領域３２のタービン軸方向の寸法に合わせてあり、静翼エンドウォール１７の前縁から面接触領域３１に至るまで乱流促進部材２４が延在している。
【００２０】
３．動作
ガスタービンの運転中、圧縮機５１の圧縮空気流路（不図示）から圧縮空気が低温流体Ｌとして一部抽気され、シール空気や冷却空気として各所に供給される。燃焼器尾筒１６の周囲の空間にも、例えば圧縮機５１の出口から吐出された圧縮空気が、高圧の低温流体Ｌとして供給される。燃焼器尾筒１６の周囲の空間に低温流体Ｌが供給されると、燃焼ガス流路の内外の圧力差によってシール部材６が燃焼ガス流路側に付勢される。その結果、燃焼器尾筒１６のフランジ部１９に対してフック部７がタービン径方向に摺動し、シールプレート部８がタービン径方向に平行移動して、シール溝２１内の面接触領域３１の高温側内壁面２１ａ−１に接触する。また、貫通孔２３を介して低温流体Ｌの一部が噴出し、対面する非接触領域３２の高温側内壁面２１ａ−２に衝突した後、燃焼器尾筒１６と静翼エンドウォール１７との対向部から燃焼ガス流路に流入する。
【００２１】
４．効果
本実施形態では、シールプレート部８がシール溝２１内の面接触領域３１の高温側内壁面２１ａ−１に接触し、燃焼器尾筒１６と静翼エンドウォール１７との対向部に架け渡される。これにより、燃焼器尾筒１６と静翼エンドウォール１７との対向部を介する燃焼ガス流路への過剰な量の低温流体Ｌの流入を抑制することができる。従って、燃焼ガス温度の過度な低下を抑制することができる。
【００２２】
また、静翼エンドウォール１７のシールプレート部８よりも燃焼ガス流路側の部位は、シールプレート部８で低温流体Ｌの流れから隔てられ、しかも静翼エンドウォール１７自体が薄肉で冷却流路を内部に這い回すことも困難である。そのため、この部位は、燃焼ガス流路に臨んで冷却を要するにも関わらず、貫通孔２３がなければ本来的に効果的な冷却が困難である。それに対し、本実施形態では、シール溝２１の内部に面接触領域３１と非接触領域３２とを設け、燃焼ガスＨと低温流体Ｌとの差圧により貫通孔２３から噴出する低温流体Ｌを高温側内壁面２１ａ−２に衝突させた上で燃焼ガス流路に流入させる構成とした。これにより、冷却困難であった静翼エンドウォール１７の高温部を効果的に冷却することができる。
【００２３】
貫通孔２３を通過する低温流体Ｌの流量は貫通孔２３の直径及び数によって設定することができるため、静翼エンドウォール１７の冷却に必要な流量だけ低温流体Ｌを燃焼ガス流路に合流させることができる。
【００２４】
また、貫通孔２３から噴出した低温流体Ｌは、燃焼器尾筒１６と静翼エンドウォール１７との対向部から燃焼ガス流路に流出すると、運動量の大きい燃焼ガスＨから力を受けて静翼エンドウォール１７の壁面付近を流れ、これによりフィルム冷却効果が期待できる。
【００２５】
また、本実施形態のように非接触領域３２に乱流促進部材２４を設けた場合、低温流体Ｌの静翼エンドウォール１７に対する熱伝達率をさらに向上させることができる。本実施形態においては、図４に示したようにタービン軸方向に延びるリブを乱流促進部材２４としているが、このような構成には限定されない。例えば、図５に示したようにタービン回転方向に延びるリブで乱流促進部材２４を構成しても、同様の効果が期待できる。
【００２６】
（第２実施形態）
図６は本発明の第２実施形態に係るガスタービンのシール構造を表す図で、第１実施形態の図３に相当する図である。本実施形態が第１実施形態と相違する点は、乱流促進部材２４が省略されている点である。その他の構成は第１実施形態と同様である。燃焼ガスＨによる熱負荷によって乱流促進部材２４を必要せず、貫通孔２３から噴出する低温流体Ｌの高温側内壁面２１ａ−２への衝突による冷却効果で足りる場合には、本実施形態のような構成としても良い。
【００２７】
（第３実施形態）
図７は本発明の第３実施形態に係るガスタービンのシール構造を表す図で、第１実施形態の図３に相当する図である。本実施形態が第１実施形態と相違する点は、シール部材６のシールプレート部８がタービン回転方向から見て折れ曲がっている点、及び乱流促進部材２４が省略されている点である。その他の構成は第１実施形態と同様である。
【００２８】
本実施形態では、面接触領域３１を構成する部分である面接触部８ａ−１、及び非接触領域３２を構成する部分である非接触部８ａ−２を備えている。本実施形態におけるシール溝２１の高温側内壁面２１ａはタービン回転方向から見て段差なくタービン軸方向に平滑に延在しており、面接触部８ａ−１が高温側内壁面２１ａに対して面接触する。非接触部８ａ−２は、面接触部８ａ−１よりも燃焼器尾筒１６側に位置し、面接触部８ａ−１に対して燃焼ガス流路から遠ざかるように段差を構成している。シールプレート部８は例えばプレス加工によって折り曲げてある。本実施形態では、これによって非接触領域３２において高温側内壁面２１ａとシールプレート部８との間に間隙が介在している。貫通孔２３はシールプレート部８の非接触部８ａ−２に設けられている。
【００２９】
第１及び第２実施形態ではシール溝２１の高温側内壁面２１ａに段差を付けて面接触領域３１と非接触領域３２を形成していたが、本実施形態のように高温側内壁面２１ａに段差を設ける代わりに（又は加えて）シールプレート部８を折り曲げることでも、面接触領域３１と非接触領域３２を形成することができる。また、図７では乱流促進部材２４を省略した構成を例に挙げて説明したが、図８のように本実施形態においても非接触領域３２の高温側内壁面２１ａに乱流促進部材２４を適用することができることは言うまでもない。本実施形態においても第１及び第２実施形態と同様の効果を得ることができる。
【００３０】
（第４実施形態）
図９は本発明の第４実施形態に係るガスタービンのシール構造を表す図で、第１実施形態の図３に相当する図である。本実施形態が第１実施形態と相違する点は、非接触領域３２に突起２６が備わっている点、及び乱流促進部材２４が省略されている点である。その他の構成は第１実施形態と同様である。
【００３１】
突起２６のタービン径方向の寸法は、非接触領域３２におけるシール溝２１の高温側内壁面２１ａ−２とシールプレート部８との距離に合わせてある。突起２６は貫通孔２３よりも燃焼器尾筒１６側に位置しており、タービン回転方向に間隔をもって複数設けられている。本実施形態において貫通孔２３と突起２６のタービン回転方向の位置は対応しているが、貫通孔２３と突起２６との位置関係は必ずしもこの限りではない。また、突起２６は、本実施形態ではシールプレート部８の高温側内壁面２１ａ−２との対向面に設けてあるが、高温側内壁面２１ａ−２のシールプレート部８との内壁面に設ける構成でも良い。突起２６は錐体型又は先端部が滑らかな曲面で形成された山型に形成されており、先端部が対向面（本実施形態では高温側内壁面２１ａ−２）に点接触する構成である。また、図１０に示したように、平行な平面である先端面及び天面を持つ柱状に突起２６を形成し、先端面が対向面（図１０では高温側内壁面２１ａ−２）に面接触する構成とすることもできる。
【００３２】
本実施形態においては、先に説明した各実施形態と同様の効果に加え、突起２６がスペーサの役割を果たすことによってシールプレート部８と高温側内壁面２１ａ−２との間隙の変化を抑制できる。そのため、貫通孔２３から噴出する低温流体Ｌによる冷却の熱伝達率の変動を抑えることができる。また、突起２６による乱流促進効果により、乱流促進部材２４を設けた例のような冷却効果の向上の効果も期待できる。乱流促進については、図９の例に比して図１０の例で高い効果が見込まれる。また、突起２６と貫通孔２３のタービン回転方向の位置関係を対応させることでより強い乱流促進効果が期待できる。
【００３３】
（その他）
以上説明した各実施形態及びその変形例は、任意に組み合わせることができることは言うまでもない。また、非接触領域３２及び貫通孔２３をシール溝２１の高温側内壁面２１ａとシールプレート部８との対向部にのみ設けた構成を例に挙げて説明したが、燃焼器尾筒１６とシールプレート部８との対向部に非接触領域３２及び貫通孔２３を付加した構成としても良い。また、図１では単軸のガスタービンを例に挙げて説明したが、他のタイプのガスタービンにおいても燃焼器尾筒と静翼エンドウォールとの接続部に本発明を適用して同様の効果を得ることができる。例えば、圧縮機に連結された高圧タービン、及び高圧タービンと分離されて負荷機器に連結された低圧タービンを有する二軸ガスタービンに発明を適用する場合、燃焼器尾筒と高圧タービンの初段静翼エンドウォールとの接続部に本発明を適用することができる。
【符号の説明】
【００３４】
５１        圧縮機
５２        燃焼器
５３        タービン
１６        燃焼器尾筒
５５        静翼翼列
５６        動翼翼列
５７        タービン段落
１７        静翼エンドウォール
６          シール部材
１９        フランジ部
２１        シール溝
７          フック部
８          シールプレート部
２１ａ      高温側内壁面
２１ａ−１  高温側内壁面（面接触領域の高温側内壁面）
２１ａ−２  高温側内壁面（非接触領域の高温側内壁面）
３１        面接触領域
３２        非接触領域
２３        貫通孔
８ａ−１    面接触部（シールプレート部の面接触領域を構成する部分）
８ａ−２    非接触部（シールプレート部の非接触領域を構成する部分）
２４        乱流促進部材
２６        突起
【図１】
2018031320.tif 000003
【図２】
2018031320.tif 000004
【図３】
2018031320.tif 000005
【図４】
2018031320.tif 000006
【図５】
2018031320.tif 000007
【図６】
2018031320.tif 000008
【図７】
2018031320.tif 000009
【図８】
2018031320.tif 000010
【図９】
2018031320.tif 000011
【図１０】
2018031320.tif 000012